(57)【要約】      （修正有）【課題】テーブルなどの固定台に吸着し、刃物を研ぐ吸着式シャープナーを提供する。【解決手段】主座体１０を具備し、主座体１０には操作レバー１１によって制御される吸盤１２が設けられ、吸盤１２は引っ張り棒によって主座体１０より突き出され、操作レバー１１は引っ張り棒が主座体１０より伸びた一端に枢着される。また主座体１０と吸盤１２の間にバネが設けられ、主座体１０上方に平坦台１０１と、第１研ぎ口１０２と第２研ぎ口１０３が設けられる。平坦台１０１には平板状の砥石２０が固設される。第１研ぎ口１０２内に第１砥石セット３０が設けられ、第２研ぎ口１０３内に第２砥石セット４０が設けられる。主座体１０の両側に少なくとも第３研ぎ口１０４と第４研ぎ口１０５が設けられる。第３研ぎ口１０４内に第３砥石セットが設けられ、第４研ぎ口１０５に第４砥石セット６０が設けられる。各研ぎ口と各砥石セットの角度の相違によって、同一の吸着式シャープナーで複数の種類の刃物を研ぐことができる。【選択図】図１
0003206920.tif 000002
【実用新案登録請求の範囲】
【請求項１】
吸着式シャープナーであって、
前記吸着式シャープナーは主座体を具備し、該主座体には操作レバーによって制御される吸盤が設けられ、
前記吸盤は引っ張り棒によって主座体より突き出され、操作レバーは引っ張り棒が主座体より伸びた一端に枢着され、操作レバーの回転偏心によって主座体に当てさせることで、吸盤が引っ張られ、内部に真空吸引力が生じ、
前記主座体と吸盤の間にバネが設けられ、主座体上方に少なくとも一つの平坦台と、少なくとも第１研ぎ口と少なくとも第２研ぎ口が設けられ、前記平坦台には平板状の砥石が固設され、
前記第１研ぎ口内に第１砥石セットが設けられ、前記第２研ぎ口内に第２砥石セットが設けられ、主座体の両側に少なくとも第３研ぎ口と第４研ぎ口が設けられ、前記第３研ぎ口内に第３砥石セットが設けられ、前記第４研ぎ口に第４砥石セットが設けられ、各研ぎ口と各砥石セットの角度の相違によって、複数の種類の刃物を研ぐことができる吸着式シャープナー。
【請求項２】
前記主座体には円形カバーと細長い形状のボディーが接合され、前記吸盤が前記円形カバーに取り付けられ、ボディー下方には半円形切り口が設けられ、前記半円形切り口が吸盤に対して回避するためのマットがあることを特徴とする請求項１の吸着式シャープナー。
【請求項３】
前記主座体の上方には前記第１研ぎ口と第２研ぎ口を避けた位置にカバーが設けられることを特徴とする請求項１の吸着式シャープナー。
【請求項４】
前記カバーの材質は金属であることを特徴とする請求項３の吸着式シャープナー。
【請求項５】
前記第１研ぎ口と第２研ぎ口の開口は上向きのＶ字状であることを特徴とする請求項１の吸着式シャープナー。
【請求項６】
前記主座体には上が平坦で、下が斜めの第３研ぎ口が設けられることを特徴とする請求項１の吸着式シャープナー。
【請求項７】
前記主座体には上が斜めで、下が平坦な第４研ぎ口が設けられることを特徴とする請求項１の吸着式シャープナー。
【請求項８】
前記第１砥石セットは二つの砥石棒が交差して重なることを特徴とする請求項１の吸着式シャープナー。
【請求項９】
前記第２砥石セットと第４砥石セットはそれぞれ二枚の砥石片によって交差して重なることを特徴とする請求項１の吸着式シャープナー。
【考案の詳細な説明】
【技術分野】
【０００１】
本考案は、吸着式シャープナーに関し、特にテーブルなどの固定台に吸着し、刃物を研ぐ吸着式シャープナーに関する。
【背景技術】
【０００２】
従来の吸着式シャープナーの多くは、図８に示すように、本体、吸盤、制御レバー及び上蓋を含む。その中で、本体の中央に穿孔があり、吸盤は平坦な面に吸着でき、真空吸引力が生じる。一側面の中央に引っ張り棒が伸びており、この引っ張り棒を利用して本体の穿孔に挿し込み、制御レバーと枢着し、制御レバーは枢着部に偏心突起部が形成され、反対側に引き棒が伸びており、上蓋は本体の頂面に結合される。その上方にＶ字開口の砥石が設けられる。使用時、吸盤を平らな平面に貼り付け、制御レバーの操作によって、偏心突起部が本体に当たり、吸盤が上へと引っ張られ、その内部に真空吸引力を生じさせ、本体が吸盤の外縁を押さえることにより、吸盤が確実に吸着して固定される。この時、切れ味の悪い包丁、ペティナイフなどの単刃の刃物をシャープナーの砥石で繰り返して切り味が戻るまで研ぐ。
【０００３】
しかし、上述のような従来の吸着式シャープナーは実際に使用する時に以下の問題点が存在する。複数の種類の刃物に適する研ぎ角度がそれぞれ違うが、従来の吸着式シャープナーはただ一つの固定角度を有する砥石であるため、全ての刃物に適さず、使用上制限される。
【０００４】
従って、上述のような従来の吸着式シャープナーに存在する欠点について研究改良することは、関係業界で努力して研究開発する目標となった。本考案者はこれらに鑑み、創作の意が芽生え、長年の経験に基づいて設計し、幅広く探究した上に試作品を制作し、修正改良を重ねた上に本考案を生み出した。
【考案の概要】
【考案が解決しようとする課題】
【０００５】
従来の吸着式シャープナーはただ一つの固定角度しか有しない砥石であるという問題を解決する。
【課題を解決するための手段】
【０００６】
本考案は吸着式シャープナーを提供する。吸着式シャープナーは主座体を具備し、主座体には操作レバーによって制御される吸盤が設けられ、該吸盤は引っ張り棒によって主座体より突き出され、操作レバーは引っ張り棒が主座体より伸びた一端に枢着される。操作レバーの回転偏心によって主座体に当てさせることで、吸盤が引っ張られ、内部に真空吸引力を生じさせる。また該主座体と吸盤の間にバネが設けられ、主座体上方に少なくとも一つの平坦台と、少なくとも第１研ぎ口と少なくとも第２研ぎ口が設けられる。該平坦台には平板状の砥石が固設される。第１研ぎ口内に第１砥石セットが設けられ、第２研ぎ口内に第２砥石セットが設けられる。主座体の両側に少なくとも第３研ぎ口と第４研ぎ口が設けられる。第３研ぎ口内に第３砥石セットが設けられ、第４研ぎ口に第４砥石セットが設けられる。各研ぎ口と各砥石セットの角度の相違によって、同一の吸着式シャープナーで複数の種類の刃物を研ぐことができる。
【０００７】
従来の技術と比較すると、以下の利点がある。すなわち、本考案に係る吸着式シャープナーによれば、各研ぎ口と各砥石セットの角度の相違によって、刃物の種類に合わせて研ぎ角度を選択でき、市販される全ての刃物を研ぐことができ、単刃の刃物だけでなく、はさみなどの双刃の刃物にも適用される。
【図面の簡単な説明】
【０００８】
【図１】図１は、本考案の吸着式シャープナーを示す立体図である。
【図２】図２は、本考案の吸着式シャープナーを示す平面図である。
【図３】図３は、本考案の吸着式シャープナーの吸着状態を示す図である。
【図４】図４は、本考案の吸着式シャープナーの第１の使用状態を示す図である。
【図５】図５は、本考案の吸着式シャープナーの第２の使用状態を示す図である。
【図６】図６は、本考案の吸着式シャープナーの第３の使用状態を示す図である。
【図７】図７は、本考案の吸着式シャープナーの第４の使用状態を示す図である。
【図８】図８は、従来構造を示す図である。
【考案を実施するための形態】
【０００９】
まず、図１から図３を参照されたい。吸着式シャープナーは、主座体（１０）を具備し、主座体（１０）には操作レバー（１１）によって制御される吸盤（１２）が設けられ、該吸盤（１２）は引っ張り棒（１２１）によって主座体（１０）より突き出され、操作レバー（１１）は引っ張り棒（１２１）が主座体（１０）より伸びた一端に枢着される。操作レバー（１１）の回転偏心によって主座体（１０）に当てさせることで、吸盤（１２）が引っ張られ、内部に真空吸引力を生じさせる。また該主座体（１０）と吸盤（１２）の間にバネ（１３）が設けられ、主座体（１０）上方に少なくとも一つの平坦台（１０１）と、少なくとも第１研ぎ口（１０２）と少なくとも第２研ぎ口（１０３）が設けられる。該平坦台（１０１）には平板状の砥石（２０）が固設される。第１研ぎ口（１０２）内に第１砥石セット（３０）が設けられ、第２研ぎ口（１０３）内に第２砥石セット（４０）が設けられる。主座体（１０）の両側に少なくとも第３研ぎ口（１０４）と第４研ぎ口（１０５）が設けられる。第３研ぎ口（１０４）内に第３砥石セット（５０）が設けられ、第４研ぎ口（１０５）に第４砥石セット（６０）が設けられる。各研ぎ口と各砥石セットの角度の相違によって、同一の吸着式シャープナーで複数の種類の刃物を研ぐことができる。
本考案に係る吸着式シャープナーにおいて、主座体（１０）には円形カバーと細長い形状のボディーが接合され、吸盤（１２）が上述の円形カバーに取り付けられ、ボディー下方には半円形切り口が設けられ、該半円形切り口が吸盤（１２）に対して回避するマット（１４）がある。
【００１０】
本考案に係る吸着式シャープナーにおいて、主座体（１０）の上方には第１研ぎ口（１０２）と第２研ぎ口（１０３）を避けた位置に金属カバー（１５）とが設けられ、該カバー（１５）によって、刃物を研ぐ際に刃が主座体（１０）と直接接触することが避けられる。
【００１１】
本考案に係る吸着式シャープナーにおいて、第１研ぎ口（１０２）と第２研ぎ口（１０３）の開口は上向きのＶ字状である。
【００１２】
本考案に係る吸着式シャープナーにおいて、主座体（１０）には上が平坦で、下が斜めの第３研ぎ口（１０４）が設けられる。
【００１３】
本考案に係る吸着式シャープナーにおいて、主座体（１０）には上が斜めで、下が平坦な第４研ぎ口（１０５）が設けられる。
【００１４】
本考案に係る吸着式シャープナーにおいて、第１砥石セット（３０）は二つの砥石棒が交差して重なる。
【００１５】
本考案は吸着式シャープナーを提供する。その中で、第２砥石セット（４０）と第４砥石セット（６０）はそれぞれ二枚の砥石片によって交差して重なる。
【００１６】
実際に使用する際、該シャープナーは主座体（１０）、操作レバー（１１）及び吸盤（１２）の組み合わせによってテーブルや壁などの平面に吸着させるため、シャープナーが固定されることで吸着物の表面が破壊されることを避ける。主座体（１０）の取り外しができるため、吸着位置が任意に変更できるデザインとなり、より活用的である。また、各研ぎ口と各砥石セットの角度の相違によって、刃物の種類に合わせて研ぎ角度を選択することができ、市販される全ての刃物を研ぐことができ（図４から図６を参照されたい）、単刃の刃物だけでなく、はさみなどの双刃の刃物も適用される（同時に図７を参照されたい）。
【００１７】
以上は、本考案の良い実施例の一部しか過ぎないため、本考案の実施範囲を制限されるものではない。即ち、本実用新案登録請求の範囲内で行われる変化、修飾なども本考案の範囲内に属すべきである。
【符号の説明】
【００１８】
１０        主座体
１０１      平坦台
１０２      第１研ぎ口
１０３      第２研ぎ口
１０４      第３研ぎ口
１０５      第４研ぎ口
１１        操作レバー
１２        吸盤
１２１      引っ張り棒
１３        バネ
１４        マット
１５        カバー
２０        砥石
３０        第１砥石セット
４０        第２砥石セット
５０        第３砥石セット
６０        第４砥石セット
７０        本体
７１        吸盤
７２        制御レバー
７２１      偏心突起部
７２２      引き棒
７３        上蓋
７３１      砥石
【図１】
0003206920.tif 000003
【図２】
0003206920.tif 000004
【図３】
0003206920.tif 000005
【図４】
0003206920.tif 000006
【図５】
0003206920.tif 000007
【図６】
0003206920.tif 000008
【図７】
0003206920.tif 000009
【図８】
0003206920.tif 000010